(57)【特許請求の範囲】
【請求項１】
画像を処理する画像処理装置であって、
第１のキーと、
２つで一対のキーである第２のキーと、
異なる形式で記録された同一グループに属する複数の画像データの中から前記第１のキーの操作に基づいて処理対象画像を選択すると共に該選択した処理対象画像に対して前記第２のキーの操作に基づいて増減を伴って印刷枚数を設定するパラメータ設定手段と、
前記複数の画像データの各々に対して設定された印刷枚数に従って印刷装置において該複数の画像データが印刷されるように処理する処理手段と
を備える画像処理装置。
【請求項２】
前記同一グループに属する複数の画像データは、ＲＡＷデータと該ＲＡＷデータに基づいて生成されたＪＰＥＧデータである請求項１記載の画像処理装置。
【請求項３】
前記同一グループに属する複数の画像データを同一画面上に表示すると共に前記第１のキーの操作と前記第２のキーの操作のための操作画面を表示する表示制御手段を備える請求項１又は２に記載の画像処理装置。
【請求項４】
請求項３記載の画像処理装置であって、
前記パラメータ設定手段は、複数のグループの中から前記処理対象画像を含む１つのグループを選択する前段階を含み、
前記表示制御手段は、前記前段階と、前記選択されたグループに属する複数の画像データの中から前記処理対象画像を選択する段階とで異なる選択画面を表示する手段である
画像処理装置。
【請求項５】
請求項１ないし４いずれか１項に記載の画像処理装置であって、
上下左右方向に配置された４方向キーを備え、
前記第１のキーは、上下キーおよび左右キーのうち一方であり、
前記第２のキーは、前記上下キーおよび左右キーのうち他方である
画像処理装置。
【請求項６】
前記パラメータ設定手段は、前記第１のキーの操作または前記第２のキーの操作に基づいて複数のグループの中から前記処理対象画像を含む１つのグループを選択する前段階を含む手段である請求項１ないし５いずれか１項に記載の画像処理装置。
【請求項７】
前記第１のキーの操作と前記第２のキーの操作は、前記両操作の間に他のキーの操作を挟まずに行なうことができる請求項１ないし６いずれか１項に記載の画像処理装置。
【請求項８】
画像処理装置で実行される画像処理プログラムであって、
異なる形式で記録された同一グループに属する複数の画像データの中から前記画像処理装置の第１のキーを用いた操作に基づいて処理対象画像を選択すると共に該選択した処理対象画像に対して前記画像処理装置の２つで一対のキーである第２のキーを用いた操作に基づいて増減を伴って印刷枚数を設定するパラメータ設定機能と、
前記複数の画像データの各々に対して設定された印刷枚数に従って印刷装置において該複数の画像データが印刷されるように処理する処理機能と
を画像処理装置に実現させるための画像処理プログラム。
【発明の詳細な説明】
【技術分野】
【０００１】
本発明は、画像を処理する画像処理装置に関する。
【背景技術】
【０００２】
従来、画像処理装置としては、十字キーボタンを備え、十字キーボタンの操作に伴ってディスプレイ上に表示する画像データを切り替えるものが提案されている（例えば、特許文献１参照）。この装置では、十字キーボタンの左右操作によって前後の画像データに切り替えて印刷する画像を選択できるようになっており、選択された画像は用紙タイプや用紙サイズなどの印刷設定が行なわれると共に操作パネルから印刷開始が指示されたときに印刷処理される。
【特許文献１】特開２００５−９９４７２号公報
【発明の開示】
【発明が解決しようとする課題】
【０００３】
ところで、近年、デジタルカメラなどでは撮影された画像の現像処理前のＲＡＷファイルと現像処理してＪＰＥＧ圧縮したＪＰＥＧファイルとを同時記録する機能をもつものが提案されている。この同時記録されたＪＰＥＧデータとＲＡＷデータとを含むグループ画像をプリンタでまとめて印刷しようとする際には、印刷設定を画像毎に個別に行なえるようにすることが望ましい。しかしながら、プリンタに配置されている操作系の制約から上述した設定をシンプルな操作で行なうことは困難な場合が多い。こうした問題は、プリンタに限られず、デジタルカメラやビューワーなど操作系に制約がある機種については、同時記録されたＪＰＥＧデータとＲＡＷデータとを含むグループ画像に個別に処理用パラメータを設定する際に同様に生じうる。
【０００４】
本発明の画像処理装置は、異なる形式で記録された同一グループに属する複数の画像データに対する処理用パラメータをシンプルな操作により個別に設定できるようにすることを主目的とする。
【課題を解決するための手段】
【０００５】
本発明の画像処理装置は、上述の主目的を達成するために以下の手段を採った。
【０００６】
本発明の画像処理装置は、
画像を処理する画像処理装置であって、
第１のキーと、
第２のキーと、
異なる形式で記録された同一グループに属する複数の画像データの中から前記第１のキーの操作に基づいて処理対象画像を選択すると共に該選択した処理対象画像に対して前記第２のキーの操作に基づいて処理用パラメータを設定するパラメータ設定手段と、
前記複数の画像データの各々に対して設定された処理用パラメータに従って該複数の画像データを処理する処理手段と
を備えることを要旨とする。
【０００７】
この本発明の画像処理装置では、第１のキーと第２のキーとを設けて、異なる形式で記録された同一グループに属する複数の画像データの中から第１のキーの操作に基づいて処理対象画像を選択すると共に選択した処理対象画像に対して第２のキーの操作に基づいて処理用パラメータを設定し、複数の画像データの各々に対して設定された処理用パラメータに従って複数の画像データを処理する。したがって、第１のキーと第２のキーだけのシンプルな操作で異なる形式で記録された同一グループに属する複数の画像データの処理用パラメータを個別に設定することができる。
【０００８】
こうした本発明の画像処理装置において、前記同一グループに属する複数の画像データは、ＲＡＷデータと該ＲＡＷデータに基づいて生成されたＪＰＥＧデータであるものとすることもできる。こうすれば、ＲＡＷデータとこれに基づいて生成されたＪＰＥＧデータの処理用パラメータをシンプルな操作により個別に設定することができる。
【０００９】
また、本発明の画像処理装置において、前記画像処理装置は、印刷装置に接続され、前記第２のキーは、２つで一対のキーであり、前記パラメータ設定手段は、前記第２のキーの操作に基づいて前記設定用パラメータとして増減を伴って印刷枚数を設定する手段であり、前記処理手段は、前記複数の画像データの各々に対して設定された印刷枚数に従って前記印刷装置で該複数の画像データの印刷が実行されるよう処理する手段であるものとすることもできる。こうすれば、よりシンプルな操作により異なる形式で記録された同一グループに属する画像データに対して個別に印刷枚数を設定することができる。
【００１０】
さらに、本発明の画像処理装置において、前前記同一グループに属する複数の画像データを同一画面上に表示すると共に前記第１のキーの操作と前記第２のキーの操作のための操作画面を表示する表示制御手段を備えるものとすることもできる。こうすれば、同一のグループに属する複数の画像データを一度に確認できるから、複数の画像データの処理用パラメータを個別に設定し易いものとすることができる。この態様の本発明の画像処理装置において、前記パラメータ設定手段は、複数のグループの中から前記処理対象画像を含む１つのグループを選択する前段階を含み、前記表示制御手段は、前記前段階と、前記選択されたグループに属する複数の画像データの中から前記処理対象画像を選択する段階とで異なる選択画面を表示する手段であるものとすることもできる。
【００１１】
また、本発明の画像処理装置において、上下左右方向に配置された４方向キーを備え、前記第１のキーは、上下キーおよび左右キーのうち一方であり、前記第２のキーは、前記上下キーおよび左右キーのうち他方であるものとすることもできる。こうすれば、処理用パラメータの設定をより直感的な操作により行なうことが可能となる。
【００１２】
また、本発明の画像処理装置において、前記パラメータ設定手段は、前記第１のキーの操作または前記第２のキーの操作に基づいて複数のグループの中から前記処理対象画像を含む１つのグループを選択する前段階を含む手段であるものとすることもできる。こうすれば、第１のキーや第２のキーに複数の機能を割り当ててよりシンプルな操作系とすることができる。
【００１３】
また、本発明の画像処理装置において、前記第１のキーの操作と前記第２のキーの操作は、前記両操作の間に他のキーの操作を挟まずに行なうことができるものとすることもできる。こうすれば、同一グループに属する複数の画像データに対して処理用パラメータを個別に設定する際の操作をよりシンプルな操作とすることができる。
【発明を実施するための最良の形態】
【００１４】
次に、本発明の実施の形態を図面に基づいて説明する。図１は、本発明の一実施形態であるマルチファンクションプリンタ１０の構成の概略を示す構成図およびブロック図である。
【００１５】
本実施形態のマルチファンクションプリンタ１０は、図１に示すように、印刷ジョブに基づいて印刷用紙Ｓへの印刷を実行するプリンタユニット２０と、ガラス台３６に載置された書類を読み取るスキャナユニット３０と、メモリカードスロット４０に挿入されたメモリカード４２との間でデータの入出力を行うメモリカードコントローラ４４と、各種情報を表示部５２に表示したりユーザの指示をボタン類５４の操作を介して入力したりする操作パネル５０と、装置全体の制御を司るメインコントローラ６０とを備えている。このマルチファンクションプリンタ１０は、プリンタユニット２０やスキャナユニット３０，メモリカードコントローラ４４，メインコントローラ６０がバス１２を介して各種制御信号やデータのやり取りができるよう構成されている。
【００１６】
プリンタユニット２０は、プリンタＡＳＩＣ２２とプリンタエンジン２４とを備えている。プリンタＡＳＩＣ２２は、プリンタエンジン２４を制御する集積回路であり、メインコントローラ６０から印刷指令を受けると、その印刷指令の対象となる画像ファイルに基づいて用紙Ｓに印刷するようプリンタエンジン２４を制御する。また、プリンタエンジン２４は、印刷ヘッドから用紙へインクを吐出することにより印刷を行う周知のインクジェット方式のカラープリンタ機構として構成されている。なお、ＡＳＩＣは、Ａｐｐｌｉｃａｔｉｏｎ  Ｓｐｅｃｉｆｉｃ  Ｉｎｔｅｇｒａｔｅｄ  Ｃｉｒｃｕｉｔの略である。
【００１７】
スキャナユニット３０は、スキャナＡＳＩＣ３２とスキャナエンジン３４とを備えている。スキャナＡＳＩＣ３２は、スキャナエンジン３４を制御する集積回路であり、メインコントローラ６０からのスキャン指令を受けると、ガラス台３６に載置された書類を画像データとして読み取るようスキャナエンジン３４を制御する。また、スキャナエンジン３４は、周知のイメージスキャナとして構成され、書類に向かって発光したあとの反射光をレッド（Ｒ）、グリーン（Ｇ）、ブルー（Ｂ）の各色に分解してスキャンデータとする周知のカラーイメージセンサを備えている。
【００１８】
メモリカードコントローラ４４は、操作パネル５０の横に備えられているメモリカードスロット４０に挿入されたメモリカード４２との間でデータの入出力を行うものである。このメモリカードコントローラ４４は、メモリカードスロット４０にメモリカード４２が接続されているとき、メモリカード４２に保存されているファイルを読み出してメインコントローラ６０に送信したりメインコントローラ６０からの命令を入力し該命令に基づいてメモリカード４２にデータを書き込んだりする。
【００１９】
メモリカード４２に保存される画像ファイルの一例を図２に示す。図示するように、メモリカード４２には、例えば、デジタルカメラで撮影されて生成されたＲＡＷファイルやＪＰＥＧファイルなどの画像ファイルが保存される。メモリカード４２に保存される各画像ファイルには、例えば、デジタルカメラで撮影されて作成されたファイルを保存する際に前回作成されたファイルのファイル名に含まれる番号と連番となるようファイル名が付与され、デジタルカメラで撮影されて生成されたＲＡＷデータとこのＲＡＷデータに基づいて作成されたＪＰＥＧデータとを同時記録する際には同一のファイル名が付与されると共にＲＡＷデータとＪＰＥＧデータとは各々別ファイルとして保存される。本実施形態では、ＲＡＷファイルとこれに基づいて作成されたＪＰＥＧファイルとを同一のフォルダに格納するものとし、ＲＡＷファイルかＪＰＥＧファイルのいずれかのみのときには、そのファイルのみが１つのフォルダに格納されるものとした。したがって、メモリカード４２に同時記録されたＲＡＷファイルとＪＰＥＧファイルとが存在するか否かは、フォルダ名やファイル名（番号）を用いて調べることができる。なお、以下、ＲＡＷデータとこのＲＡＷデータに基づいて作成されたＪＰＥＧデータとを、同一グループの画像データと呼ぶ。また、ＲＡＷファイルには、撮影機器に関する情報（例えば製造会社名や機種名）などが格納されると共に撮影機器によってはその機器で現像されたサムネイル画像が格納されており、ＪＰＥＧファイルには、撮影機器に関する情報や現像した機器に関する情報，サムネイル画像などが格納されている。
【００２０】
操作パネル５０は、表示部５２とボタン類５４とを備えている。表示部５２は、液晶ディスプレイであり、画像選択画面や印刷設定画面，現像パラメータ入力画面などのメニューの選択や設定を行なうための各種操作画面を表示する。ボタン類５４としては、電源をオンオフするための図示しない電源ボタンや，上キー５６ａと下キー５６ｂと左キー５６ｃと右キー５６ｄとからなり各種項目や設定を行なうための矢印キー５６，選択した設定を有効にするためのＯＫボタン５７，ひとつ前の画面に戻る図示しない戻るボタン，印刷設定を行なうための図示しない印刷設定ボタン，印刷を指示するための印刷ボタン５８などがあり、内部通信インタフェース６９を介してメインコントローラ６０にユーザの指示を入力できるようになっている。ここで、印刷設定画面としては、図示しないが、用紙種類（例えば写真用紙，普通紙，マット紙など）や用紙サイズ（例えばＬ判，ハガキ，Ａ４など），レイアウト（例えばフチなし，フチありなど），印刷品質（例えば速い，標準，きれいなど），画像を最適な色合いに自動調整する自動画質調整（例えばする、しない），明るさ調整（例えばより明るく，明るく，標準，暗く，より暗く），コントラスト（例えば標準，強く，弱く），シャープネス（例えばシャープネス強，シャープネス弱，標準，ソフトフォーカス弱，ソフトフォーカス強）などの設定項目があり、矢印キー５６によって設定できるようになっている。また、現像パラメータの入力画面としては、図示しないが、上述した通常の画質調整パラメータの他に露出値の設定項目があり、露出値は−２．０〜＋２．０の範囲内で矢印キー５６によって設定できるようになっている。
【００２１】
メインコントローラ６０は、ＣＰＵ６２を中心とするマイクロプロセッサとして構成されており、各種処理プログラムや各種データ、各種テーブルなどを記憶したＲＯＭ６４と、一時的にスキャンデータや印刷用データを記憶するＲＡＭ６６と、電気的に書き換え可能で電源を切ってもデータは保持されるフラッシュメモリ６８と、操作パネル５０との通信を可能とする内部通信インタフェース６９とを備え、これらはバス１２を介して互いに信号のやり取りが可能なように接続されている。このメインコントローラ６０は、プリンタユニット２０やスキャナユニット３０，メモリカードコントローラ４４からの各種動作信号や各種検出信号を入力したり、操作パネル５０のボタン類５４の操作に応じて発生する操作信号を入力したりする。また、メモリカード４２からＲＡＷファイルやＪＰＥＧファイルを読み出してメインコントローラ６０へ出力する指令をメモリカードコントローラ４４に出力したり、現像済みデータ（例えば、ＪＰＥＧ圧縮された画像データ）の印刷を実行するようプリンタユニット２０に指令を出力したり、操作パネル５０のボタン類５４のスキャン指令に基づいてガラス台３６に載置された書類を画像データとして読み取るようスキャナユニット３０に指令を出力したり、操作パネル５０に表示部５２の制御指令を出力したりする。
【００２２】
次に、こうして構成された本実施形態のマルチファンクションプリンタ１０の動作、特に、メモリカード４２に保存された同一グループのＲＡＷファイルとＪＰＥＧファイルとを選択すると共に印刷枚数を個別に設定して印刷する場合の動作について説明する。
【００２３】
図３は、マルチファンクションプリンタ１０のＣＰＵ６２により実行される印刷処理ルーチンの一例を示すフローチャートである。このルーチンは、マルチファンクションプリンタ１０のＲＯＭ６４に記憶されている。また、このルーチンは、メモリカード４２がメモリカードスロット４０に差し込まれたときに実行される。
【００２４】
印刷処理ルーチンが実行されると、マルチファンクションプリンタ１０のＣＰＵ６２は、まず、メモリカード４２に保存されている画像ファイルのサムネイル画像を読み込んで画像選択画面上に表示し（ステップＳ１００）、画像の選択を受け付ける（ステップＳ１１０）。図４に、画像選択画面７０の一例を示す。画像選択画面７０は、横３枚で２段の計６枚のサムネイル画像７２ａ〜７２ｆを一度に表示できるようになっており、矢印キー５６の左右キー５６ｃ，５６ｄの操作によりカーソル７４の位置を移動して、カーソル７４が図中の左上に位置している状態で左キー５６ｃを押下することにより前ページの６枚を表示し、カーソル７４が図中の右下に位置している状態で右キー５６ｄを押下することにより次ページの６枚を表示できるようになっている。同一グループのＪＰＥＧファイルとＲＡＷファイルは、ＪＰＥＧファイルに格納されたサムネイル画像を一つだけ表示するものとした。なお、ＲＡＷファイルのサムネイル画像を表示するとき、ＲＡＷファイルにサムネイル画像が格納されていないときには、ＲＡＷファイルから現像処理を行なってサムネイル画像を作成して表示するものとした。なお、ＲＡＷファイルが本マルチファンクションプリンタ１０で現像処理できないタイプのファイルのときには、そのサムネイル画像は表示されない。画像の選択は、左右キー５６ｃ，５６ｄにより画像選択画面７０に表示されているサムネイル画像７２ａ〜７２ｆの中から希望する画像にカーソル７４を合わせてＯＫボタン５７を押下することにより行なうことができる。
【００２５】
こうして画像が選択されると、選択された画像が同一グループのＪＰＥＧファイルとＲＡＷファイルとを有するか否かを判定し（ステップＳ１２０）、同一グループのＪＰＥＧファイルとＲＡＷファイルとを有しないときには、ＪＰＥＧファイルかＲＡＷファイルかのいずれか１つであるから、その選択された画像データを選択画像表示画面に表示し（ステップＳ１３０）、同一グループのＪＰＥＧファイルとＲＡＷファイルとを有するときには、その２つの画像データを選択画像表示画面上に表示する（ステップＳ１４０）。図５に、選択画像表示画面８０に同一グループのＪＰＥＧファイルとＲＡＷファイルの２つの画像データを表示する様子を示す。図示するように、選択画像表示画面８０には、ＪＰＥＧファイルの画像８２ａとＲＡＷファイルの画像８２ｂとが左右に並べて配置されており、各画像８２ａ，８２ｂの左上にはデータ形式がＪＰＥＧかＲＡＷかのいずれであるかを表示するデータ形式表示枠８４ａ，８４ｂが配置されると共に右下には各画像８２ａ，８２ｂの印刷枚数を個別に表示するための印刷枚数表示枠８６ａ，８６ｂが配置されている。
【００２６】
こうして選択画像を表示すると、次に、印刷枚数を設定するための印刷枚数設定処理を実行すると共に（ステップＳ１５０）、必要に応じて用紙種類や用紙サイズ，レイアウト，印刷品質などの印刷設定を行なう印刷設定処理を実行する（ステップＳ１６０）。印刷枚数設定処理については後述する。印刷設定処理は、図示しない印刷設定ボタンが押下されたときに印刷設定画面を表示し、矢印キー５６により上述した用紙種類や用紙サイズ，レイアウト，印刷品質などの各設定項目を選択することにより行なうことができる。そして、図示しない戻るボタンが押下されたときには（ステップＳ１７０）、ステップＳ１００に戻って画像選択画面にサムネイル画像を表示することにより他の画像を選択できるようにしてステップＳ１１０以降の処理を実行し、戻るボタンが押下されていないときには印刷ボタン５８が押下されるまでステップＳ１５０に戻ってステップＳ１５０〜Ｓ１８０の処理を繰り返す。印刷ボタン５８が押下されたときは（ステップＳ１８０）、選択された画像に対して各々設定された印刷枚数だけ印刷が実行されるよう印刷制御コマンドをプリンタＡＳＩＣ２２に出力して（ステップＳ１９０）、本ルーチンを終了する。
【００２７】
次に、印刷枚数設定処理について説明する。図６は、コントローラ６０により実行される印刷枚数設定処理の一例を示すフローチャートである。なお、選択画像の印刷枚数のデフォルト値としては１枚に設定されている。図６の印刷枚数設定処理では、矢印キー５６の入力を受け付け（ステップＳ２００）、矢印キー５６の入力がないときにはそのまま本処理を終了し、矢印キー５６の入力があるときにはその方向すなわち上キー５６ａ，下キー５６ｂと左キー５６ｃと右キー５６ｄのうちいずれが入力されたかを調べる（ステップＳ２１０）。右キー５６ｄが入力されたときにはＲＡＷファイルの画像データの印刷枚数設定を有効にすると共にＪＰＥＧファイルの画像データの印刷枚数設定を無効にして（ステップＳ２２０）、本処理を終了し、左キー５６ｃが入力されたときにはＲＡＷファイルの画像データの印刷枚数設定を無効にすると共にＪＰＥＧファイルの画像データの印刷枚数設定を有効にして（ステップＳ２３０）、本処理を終了し、上キー５６ａが入力されたときには有効とされた印刷枚数設定枠の印刷枚数を所定枚数（例えば１０枚や２０枚など）を上限としてプラス１枚して（ステップＳ２４０）、本処理を終了し、下キー５６ｂが入力されたときには有効とされた印刷枚数設定枠の印刷枚数を０枚を下限としてマイナス１枚して（ステップＳ２５０）、本処理を終了する。なお、同一グループの複数の画像ファイルが存在しないとき即ちＪＰＥＧファイルかＲＡＷファイルのいずれか１つのみのとき、ＪＰＥＧファイルのみのときにはステップＳ２２０の処理は無効となり、ＲＡＷファイルのみのときにはステップＳ２３０の処理は無効となる。いま、図５に示すように、ＪＰＥＧファイルの画像８２ａの印刷枚数を２枚に設定すると共にＲＡＷファイルの画像データ８２ｂの印刷枚数を３枚に設定する場合を考える。この場合、左キー５６ｃを用いてカーソル８８を印刷枚数表示枠８６ａに合わせて上キー５６ａを１回だけ押下し、右キー５６ｄを用いてカーソル８８を印刷枚数設定枠８６ｂに合わせて上キー５６ａを２回押下すればよい。このように、矢印キー５６だけを用いて同一グループのＪＰＥＧファイルの画像データの印刷枚数とＲＡＷファイルの画像データの印刷枚数とを個別に設定することができる。なお、ＪＰＥＧファイルの画像データの印刷枚数設定が有効となっている状態で左キー５６ｃが入力されたときやＲＡＷファイルの画像データの印刷枚数設定が有効となっている状態で右キー５６ｄが入力されたときには、この印刷枚数設定処理を終了し、図３の印刷処理ルーチンのステップＳ１００に戻るものとしてもよい。
【００２８】
ここで、本実施形態の構成要素と本発明の構成要素との対応関係を明らかにする。本実施形態の矢印キー５６の左右キー５６ｃ，５６ｄが「第１のキー」に相当し、上下キー５６ａ，５６ｂが「第２のキー」に相当し、図３の印刷処理ルーチンのステップＳ１５０や図６の印刷枚数設定処理を実行するコントローラ６０などが「処理用パラメータ設定手段」に相当し、図３の印刷処理ルーチンのステップ１９０の処理を実行するコントローラ６０などが「処理手段」に相当する。また、図３の印刷処理ルーチンのステップＳ１２０〜Ｓ１４０の処理を実行するコントローラ６０などが「表示制御手段」に相当する。なお、本実施形態では、マルチファンクションプリンタ１０の動作を説明することにより画像処理装置の制御方法の一例も明らかにしている。
【００２９】
以上説明した本実施形態のマルチファンクションプリンタ１０によれば、同一グループのＪＰＥＧファイルとＲＡＷファイルとを有するグループ画像が選択されたとき、矢印キー５６の左右キー５６ｃ，５６ｄにより同一グループのＲＡＷファイルの印刷枚数設定とＪＰＥＧファイルの印刷枚数設定の有効と無効とを切り替えると共に有効に設定された印刷枚数設定（印刷枚数表示枠）の印刷枚数を上下キー５６ａ，５６ｂにより設定し、印刷ボタン５８が押下されたときに選択された画像ファイルに基づいて設定された印刷枚数だけ印刷するから、矢印キー５６だけを用いてシンプルな操作により同一グループのＪＰＥＧファイルの画像データの印刷枚数とＲＡＷファイルの画像データの印刷枚数とを個別に設定することができる。しかも、選択画像表示画面８０にＪＰＥＧファイルの画像８２ａとＲＡＷファイルの画像８２ｂとを横方向に並べて配置すると共に各画像８２ａ，８２ｂの各々に重ねて印刷枚数表示枠８６ａ，８６ｂを配置して上下左右の矢印キー５６の入力を受け付けるから、より直感的な操作により印刷枚数を設定することができる。
【００３０】
本実施形態では、図３の印刷処理ルーチンのステップＳ１１０で、画像の選択を、左右キー５６ｃ，５６ｄにより画像選択画面７０に表示されているサムネイル画像７２ａ〜７２ｆの中から希望する画像にカーソル７４を合わせてＯＫボタン５７を押下することにより決定するものとしたが、画像の選択をＯＫボタン５７により決定するものに限定されるものではなく、画像の選択を上下キー５６ａ，５６ｂのいずれかにより決定するものとしてもよい。また、画像の選択を、左右キー５６ｃ，５６ｄに代えて上下キー５６ａ，５６ｂにより画像選択画面７０に表示されているサムネイル画像７２ａ〜７２ｆの中から希望する画像にカーソル７４を合わせてＯＫボタン５７を押下することにより決定するものとしてもよいし、ＯＫボタン５７に代えて左右キー５６ｃ，５６ｄのいずれかにより決定するものとしてもよい。
【００３１】
本実施形態では、矢印キー５６の左右キー５６ｃ，５６ｄによりＪＰＥＧファイルの印刷枚数設定とＲＡＷファイルの印刷枚数設定との有効と無効とを切り替えると共に有効に設定された印刷枚数設定の印刷枚数を上下キー５６ａ，５６ｂにより設定するものとしたが、矢印キー５６の上下キー５６ａ，５６ｂによりＪＰＥＧファイルの印刷枚数設定とＲＡＷファイルの印刷枚数設定との有効と無効とを切り替えると共に有効に設定された印刷枚数設定の印刷枚数を左右キー５６ｃ，５６ｄにより設定するものとしてもよい。また、上下キー５６ａ，５６ｂや左右キー５６ｃ，５６ｄなどの一対のキーでなく、単一のキーを用いてそのキーが押されるたびにＪＰＥＧファイルの印刷枚数設定とＲＡＷファイルの印刷枚数設定との有効と無効との切り替えるものとしてもよい。
【００３２】
本実施形態では、同一グループのＪＰＥＧファイルとＲＡＷファイルの２つの画像を同一画面上に表示するものとしたが、ＪＰＥＧファイルとＲＡＷファイルのうちの一方だけを表示するものとしてもよい。
【００３３】
本実施形態では、矢印キー５６を用いて同一グループのＪＰＥＧファイルとＲＡＷファイルの２つの画像データの印刷枚数設定を個別に設定するものとしたが、設定するパラメータは印刷枚数設定に限定されるものではなく、用紙種類や用紙サイズなどの印刷設定パラメータの設定に用いるものとしてもよいし、その他の処理用パラメータに設定に用いるものとしてもよい。
【００３４】
本実施形態では、本発明をマルチファンクションプリンタ１０に適用して説明したが、同一グループの複数の画像ファイルの処理用パラメータを個別に設定するものであれば、これに限定されるものではなく、画像を再生するピクチャービューワやデジタルカメラ、カメラ付き携帯電話などに適用してもよい。なお、画像ファイルは、同一グループの複数の画像ファイルとしてＲＡＷファイルとこれに基づいて作成されたＪＰＥＧファイルとを用いて説明したが、他の画像ファイル、例えばＢＭＰファイルやＴＩＦＦファイルなどに適用してもよい。
【００３５】
以上、本発明の実施の形態を説明したが、本発明は上述した実施形態に何ら限定されることはなく、本発明の技術的範囲に属する限り種々の態様で実施し得ることは勿論である。
【図面の簡単な説明】
【００３６】
【図１】マルチファンクションプリンタ１０の構成図およびブロック図。
【図２】メモリカード４２に保存されている画像ファイルの一例を示す説明図。
【図３】印刷処理ルーチンの一例を示すフローチャート。
【図４】画像選択画面７０の一例を示す説明図。
【図５】選択画像表示画面８０の一例を示す説明図。
【図６】印刷枚数設定処理ルーチンの一例を示すフローチャート。
【符号の説明】
【００３７】
１０  マルチファンクションプリンタ、１２  バス、２０  プリンタユニット、２２  プリンタＡＳＩＣ、２４  プリンタエンジン、３０  スキャナユニット、３２  スキャナＡＳＩＣ、３４  スキャナエンジン、３６  ガラス台、４０  メモリカードスロット、４２  メモリカード、４４  メモリカードコントローラ、５０  操作パネル、５２  表示部、５４  ボタン類、５６  矢印キー、５７  ＯＫボタン、５８  印刷ボタン、６０  メインコントローラ、６２  ＣＰＵ、６４  ＲＯＭ、６６  ＲＡＭ、６８  フラッシュメモリ、６９  内部通信インタフェース、７０  画像選択画面、７０ａ〜７０ｆ  サムネイル画像、７４  カーソル  ８０  選択画像表示画面、８２ａ  ＪＰＥＧファイルの画像、８２ｂ  ＲＡＷファイルの画像、８４ａ，８４ｂ  データ形式表示枠、８６ａ，８６ｂ  印刷枚数表示枠、８８  カーソル。
【図１】
0005076728.tif 000002
【図２】
0005076728.tif 000003
【図３】
0005076728.tif 000004
【図４】
0005076728.tif 000005
【図５】
0005076728.tif 000006
【図６】
0005076728.tif 000007